Podtech/llm-jp-corpus-v4-ja_patent huggingface dataset:
(57)【特許請求の範囲】
【請求項１】
ダニ取り器を透明のプラスチックで、断面が多角形の筒状で片側の開口部を塞いで形成すると共に該多角形の一面を底に決め、該底に対する上面とこれに接する両側面に、ダニが
0005912168.tif 000002
蓋を被せ、蓋には凹み状のダニ入口を取り付け、該ダニ入口の先端に小孔を開け、ダニ入口の裏側には小孔を囲むビニール等の袋を貼り付け、該袋にはダニが通るだけの細孔を数ヶ所開け、蓋とダニ入口の外面には、ダニが這い上りやすい和紙または布地を貼り付け、ダニ取り付け器の上面には、上面を示す〔上面〕の文字を記したダニ取り器。
【請求項２】
蓋を平面に形成し、該蓋に小孔を開け、蓋の裏側には小孔を囲むビニール等の袋を貼り付け、袋にはダニが通るだけの細孔を数ヶ所開け、蓋の外面には、ダニが這い上りやすい和紙又は布地を貼り付けた請求項１記載のダニ取り器。
【請求項３】
ダニ取り器を透明のプラスチックに代えて、柔軟性のビニールで形成した請求項１記載のダニ取り器。
【発明の詳細な説明】
【技術分野】
【０００１】  本発明は、家屋、ホテル等の宿泊所、集会所等の居住環境のダニを年中駆除できるようにしたダニ取り器に関するものである。
【背景技術】
【０００２】  従来、ダニの駆除は、室内にガスを充満する方法、電気掃除機で強制的に除去する方法、薬品で誘殺する方法があるが、一時的で、薬品による方法は、使用期限があると共に高価の割には、効果ははっきりしない。
【発明の概要】
【０００３】  本発明は、居住環境の適所に配置するだけで、ダニを年中、確実に駆除できるようにしたものである。
【課題を解決するための手段】
【０００４】  そして、本発明は、上記目的を達成するため、第１の課題解決手段の図１から図３は、本発明の主体をなすダニ取り器を、透明のプラスチックか柔軟性のビニールで、断面が多角形の筒状で片側の開口部を塞いで形成すると共に該多角形の一面を底に決め、該底に対する上面と、これに接する両側面の上部に、ダニが通らない程度の通気孔を無数開け、また、ダニ取り器の開口部には蓋を被せ、蓋には凹み状のダニ入口を取り付け、該ダニ入口の先端に小穴を開け、ダニ入口の裏側には小孔を囲むビニール等の袋を貼り付け、該袋にはダニが通るだけの細孔を数ヶ所開け、蓋とダニ入口の外面には、ダニが這い上りやすい和紙または布地を貼り付け、ダニ取り器の上面には、上面を示す〔上面〕の字を記したものである。【０００５】  第２の課題解決手段の図４から図６は、蓋を平面に形成し、該蓋には小孔を開け、蓋の裏側には小孔を囲むビニール等の袋を貼り付け、袋にはダニが通るだけの細孔を数ヶ所開け、蓋の外面にはダニが這い上りやすい和紙または布地を貼り付けたものである。【０００６】  以上において、小孔にビニール等の袋を貼り付けたが、場合により貼り付けなくよい。
【発明の効果】
【０００７】  第１の課題解決手段の図１から図３は、ダニ取り器にダニが好む餌を入れて蓋を被せ、適所に配置すれば、無数の通気孔から出る匂いに誘われたダニは、ダニ入口の小孔から入って餌に群がる。このとき、無数の通気孔は匂いを発散すると共に空気が流入するので、ダニにとっては居住性がよく、絶好のすみかとなり、外え出ようとしない。例え、出ようとしても、ダニ入口の裏側は平滑ですべって這えず、袋も細孔であるので、ダニは外へ出られない。
また、捕集したダニは、蓋を外して中身を捨て、餌を入れ換えれば、何回も使用できるが、使い捨てにし、その都度新品を使うようにしてもよい。
なお、本発明は使用期限がある薬品等を使用しないので半永久的に使用することができる。また、ダニ取り器の上面に〔上面〕の字を記入したので、該上面を上にして迷わず置くことができる。【０００８】  第２の課題解決手段の図４から図６は、ダニ入口を平面に形成したので、製作しやすい効果がある。
【図面の簡単な説明】
【０００９】
【図１】  第１の課題解決手段の一部縦断正面図
【図２】  図１の右側面図
【図３】  図１の一部横断平面図
【図４】  第２の課題解決手段の一部縦断正面図
【図５】  図４の右側面図
【図６】  図４の一部横断平面図
【発明を実施するための形態】
【００１０】  第１の課題解決手段の図１から図３の１はダニ取り器で、透明のプラスチックか柔軟性のビニールで、断面が多角形の筒状で片側の開口部を塞いで形成している。２は、通気孔で、多角形の一面を底に決めたとき、該底に対する上面と、これに接する両側面の上部に、ダニが通らない程度の通気孔２を無数開けている。３はダニ取り器の開口部に被せた蓋、４はダニ入口４で蓋３に凹み状に取り付けている。５はダニ入口４に開けた小孔で、ダニ入口４の裏側には小孔５を囲むビニール等の袋６を貼り付けている
７はダニが通るだけの細孔で、袋６に数ヶ所開けている。また、蓋３とダニ入口４の外面には、ダニが這い上りやすい和紙または布地８を貼り付けている。
また、ダニ取り器１の上面には〔上面〕の字を記入したので、ダニ取り器１を配置するとき、迷わずに〔上面〕を上にして置くことができるようにしている。
【００１１】  第２の課題解決手段の図４から図６の３は平面に形成した蓋で、小孔５を開けている。６は小孔５を囲むビニール袋で蓋３の裏側に貼り付けている。７はダニが通るだけの細孔で、袋６に数ヶ所開けている。８はダニが這い上がりやすい和紙または布地で、蓋３の外面に貼り付けている。
【符号の説明】
【００１２】  １  ダニ取り器
２  通気孔
３  蓋
４  ダニ入口
５  小孔
６  袋
７  細孔
８  和紙または布地
【要約】
【課題】従来ダニの駆除は、室内にガスを充満する方法、電気掃除機で強制的に除去する方法、薬品で誘殺する方法があるが、一時的で、薬品による方法は、使用期限があると共に高価の割には、効果ははっきりしない。
【解決手段】無数の通気孔を開けたダニ取り器を形成し、該ダニ取り付け器の蓋にダニ入口を取り付けて構成した。
これにより、本発明にダニが好む餌を入れて蓋を被せ、居住環境の適所に配置するだけで、ダニを年中確実に捕集することができる。
また、捕集したダニは、蓋を外して中身を捨て、餌を入れ替えれば、何回も使用できるが、使い捨てにし、その都度新品を使用するようにしてもよい。
【選択図】図１【図１】
0005912168.tif 000003
【図２】
0005912168.tif 000004
【図３】
0005912168.tif 000005
【図４】
0005912168.tif 000006
【図５】
0005912168.tif 000007
【図６】
0005912168.tif 000008
(57)【特許請求の範囲】
【請求項１】
チャック付きビニール袋と、テーパ状のダニ入口を備えた該ダニ入口を、紙か薄いビニール板で形成し、先端はダニが入る小孔を開け、また、ダニ入口の大径側に、チャックに係合する係止用の凸周を形成すると共に、該係止用の凸周と小孔間全周にダニが通らない程度の通気孔を無数開けたダニ取り器。
【請求項２】
チャック付ビニール袋の相対する両面の内、一方の面を黒色とし、他方の面を透明にした請求項１記載のダニ取り器。
【発明の詳細な説明】
【技術分野】
【０００１】  本発明は簡単な構造であるが、ダニを確実に捕獲できるようにしたダニ取り器に関するものである。
【背景技術】
【０００２】  従来、ダニ取り器は各種あるが、どれも高価であるため、使用し難くかった。
【発明の概要】
【発明が解決しようとする課題】
【０００３】  ダニを確実に捕獲するダニ取り器を、家計にやさしい格安の価格で提供することを目的とする。
【課題を解決するための手段】
【０００４】  本発明は、チャック付きビニール袋に入れるテーパ状のダニ入口を、紙か薄いビニール板で形成し、該先端はダニが入る小孔を開け、また、ダニ入口は、ビニール袋に挿し込んだとき、１０ミリメートル位手前で止まるように形成し、ダニ入口がチャックに当る部分の奥側に、係止用の凸周を形成すると共に、該凸周と小孔間全周にダニが通らない程度の通気孔を無数に開けたものである。
また、ビニール袋は、表側は黒色とし、裏側は透明にしたものである。
なお、ビニール袋は表と裏共透明にしてもよい。
【発明の効果】
【０００５】  ダニを捕獲するときは、先ず、ビニール袋にダニが好む餌を入れ、次いで、ダニ入口を挿し込み、凸周をチャックに係止すれば、ダニ入口はビニール袋に固定される。
然る後、ビニール袋の黒色側を上にして適所に配置すれば、無数の通気孔から出る匂いに誘われたダニは、ダニ入口を通り、小孔からビニール袋内に入り餌に群がる。また、通気孔は、空気を流入すると共に匂いを発散するので、連続的に、多量のダニを誘引する。
したがって、大量のダニを捕獲することができ、捕獲後は、ビニール袋に挿し込んだままのダニ入口を、両手で押し曲げ、図５と図６のようにビニール袋内に押し込み、チャックを閉めれば、ダニはビニール袋内に完全に密封されるので、簡単、且、衛生的に捨てることができる。
なお、本発明の構造、使用方法きわめて簡単で、家計にやさしい安価で入手できるので、家庭において積極的に使用することができる。
【図面の簡単な説明】
【０００６】
【図１】  チャック付ビニール袋の平面図
【図２】  図１の右側面図
【図３】  ビニール袋にダニ入口を挿し込み、凸周をチャックに係止した正面図
【図４】  図３の右側面図（ビニール袋に、正面が円形のダニ入口を挿し込むと図のように楕円形になる）
【図５】  捕獲後の捨て方を示す正面図
【図６】  図５の右側面図
【発明を実施するための形態】
【０００７】  本発明の図１から図６において、１はチャック付  ２  付きビニール袋、３はテーパ状のダニ入口で、先端にはダニが入る小孔４を開けている。なお、ダニ入口３は紙か薄いビニール板で形成し、該ダニ入口３をビニール袋１に挿し込んだとき、１０ミリメートル位手前で止まるにしている。
５はチャック２に当る部分の奥に形成した係止用の凸周、６はダニが通らない程度の通気孔で、凸周５と小孔４間全周に無数開けている。
また、ビニール袋１は表側は黒色とし、裏側は透明にし、捕獲時は、ダニが好む黒色を上側にして適所に配置し、捕獲状況を確認するときは、裏返して透明側を出し、目視か拡大鏡で容易に確認できるようにしている。
【符号の説明】
【０００８】  １  ビニール袋
２  チャック
３  ダニ入口
４  小孔
５  係止用の凸周
６  通気孔
【要約】      （修正有）【課題】使用方法が極簡単で家計にやさしい格安のダニ取り器を提供する。【解決手段】チャック付きビニール袋１にダニが好む餌を入れ、然る後、ダニ入口３を挿し込んで、ダニを捕獲するように構成した。これにより、ダニ取り器が発散する匂いに誘われたダニは、ダニ入口からビニール袋内に入り、餌に群がる。また、通気孔６は、空気を流入すると共に匂いを発散するので、連続的に多量のダニを誘引する。したがって、大量のダニを捕獲することができ、捕獲後は、ビニール袋に挿し込んだままのダニ入口を両手で押し曲げ、ビニール袋内に押し込み、チャックを閉めれば、ダニはビニール袋内に完全に密封されるので、簡単、且、衛生的に捨てることができる。【選択図】図３【図１】
0005912204.tif 000002
【図２】
0005912204.tif 000003
【図３】
0005912204.tif 000004
【図４】
0005912204.tif 000005
【図５】
0005912204.tif 000006
【図６】
0005912204.tif 000007
(57)【特許請求の範囲】
【請求項１】
複数個の光源と、
各光源をそれぞれ保持した光源保持体と、
一面側に前記光源保持体が固定され他面が壁面の一部を構成する不透明な板材からなり対応する前記光源の光を通す窓穴が複数個設けられた化粧板と、
前記複数個の光源の光を通過させる材料からなり前記化粧板の前記複数個の窓穴を閉塞する少なくとも１個の窓体とを備え、
床面付近において壁材に設けられた埋込穴に埋込配設されるように構成され、
前記複数個の光源の各々は、指向性を高めるレンズが一体化された発光ダイオードであることを特徴とする非常用照明器具。
【請求項２】
各前記窓体はそれぞれ有色であって且つ前記化粧板と同系統の色であることを特徴とする請求項１記載の非常用照明器具。
【請求項３】
互いに直列又は並列に接続された複数個の前記光源を備えることを特徴とする請求項１又は請求項２記載の非常用照明器具。
【発明の詳細な説明】
【技術分野】
【０００１】
本発明は、非常用照明器具に関するものである。
【背景技術】
【０００２】
従来から、天井に取り付けられて停電時に点灯する非常用照明器具が提供されている（例えば、特許文献１参照）。
【先行技術文献】
【特許文献】
【０００３】
【特許文献１】特開平１０−３４０６０６号公報
【発明の概要】
【発明が解決しようとする課題】
【０００４】
火災が発生した場合、煙は天井付近に滞留することが多いため、上記のように天井に取り付けられる非常用照明器具では視認性が確保されにくい。
【０００５】
本発明は、上記事由に鑑みて為されたものであり、その目的は、火災発生時でも視認性が確保されやすい非常用照明器具を提供することにある。
【課題を解決するための手段】
【０００６】
本発明の非常用照明器具は、複数個の光源と、各光源をそれぞれ保持した光源保持体と、一面側に前記光源保持体が固定され他面が壁面の一部を構成する不透明な板材からなり対応する前記光源の光を通す窓穴が複数個設けられた化粧板と、前記複数個の光源の光を通過させる材料からなり前記化粧板の前記複数個の窓穴を閉塞する少なくとも１個の窓体とを備え、床面付近において壁材に設けられた埋込穴に埋込配設されるように構成され、前記複数個の光源の各々は、指向性を高めるレンズが一体化された発光ダイオードであることを特徴とする。
【０００７】
上記の非常用照明器具において、各前記窓体はそれぞれ有色であって且つ前記化粧板と同系統の色であることが望ましい。
【０００８】
また、上記の非常用照明器具において、互いに直列又は並列に接続された複数個の前記光源を備えることが望ましい。
【発明の効果】
【０００９】
本発明によれば、天井面や天井面付近の壁面に配置される場合に比べ、火災発生時の煙による視認性の低下が発生しにくく、また、床面の照度を高くしやすい。
【図面の簡単な説明】
【００１０】
【図１】本発明の実施形態を示す、水平な断面における断面図である。
【図２】同上が取り付けられる位置を示す説明図である。
【発明を実施するための形態】
【００１１】
以下、本発明を実施するための最良の形態について、図面を参照しながら説明する。
【００１２】
図１に示すように、本実施形態の非常用照明器具１は、複数個（図１では３個）の電気的な光源２と、各光源２をそれぞれ保持した光源保持体３と、一面側（図１での上側）に光源保持体３が固定され他面（図１での下面）が壁面の一部を構成する不透明な板材からなり光源２の光を通す窓穴４０が少なくとも１個（図では光源１毎に１個ずつ計３個）設けられた化粧板４と、光源２の光を通過させる材料からなり化粧板４の各窓穴４０を閉塞する窓体５とを備える。具体的には、非常用照明器具１は、壁材６に設けられた埋込穴６０に、窓穴４０を水平方向に向けて埋込配設される。
【００１３】
光源２としては周知の発光ダイオードを用いることができる。なお、光源２としては豆電球などの白熱灯や放電灯を用いることもできるが、消費電力の低減や小型化のためには、上記のように発光ダイオードを用いることが望ましい。また、発光ダイオードは比較的に発光面積が小さいので、上記のように光源２として発光ダイオードを用いれば、窓穴４０を比較的に小さくして目立ちにくくすることができる。さらに、光源２として、レンズが一体化された指向性の高い発光ダイオードを用いれば、狭い範囲で高い照度を得ることができる。
【００１４】
各光源２はそれぞれ点灯回路（図示せず）に接続される。この点灯回路は、停電時に電池（図示せず）を電源として各光源２をそれぞれ点灯させる。例えば光源２が発光ダイオードであれば点灯回路は例えば周知の安定化回路を用いて実現することができるといったように、上記のような点灯回路は周知技術で実現可能であるので、詳細な図示並びに説明は省略する。各光源２はそれぞれ例えば点灯回路の出力端間において互いに直列又は並列に接続される。また、上記の電池としては周知の二次電池を用いることができる。さらに、停電前に商用電源から電力を供給されて上記の二次電池を充電する適宜の充電回路を設けてもよい。また、上記の点灯回路や電池は非常用照明器具１毎に設けてもよいし、複数個の非常用照明器具１が１個の点灯回路や電池に接続されてもよい。点灯回路や電池が非常用照明器具１毎に設けられる場合には断線等による動作不良が発生しにくいという利点があり、複数個の非常用照明器具１が１個の点灯回路や電池に接続される場合には個々の非常用照明器具１の小型化が可能になるという利点がある。
【００１５】
光源保持体３は単なる構造材であり、例えば絶縁のための合成樹脂などの絶縁材料と、光源２の放熱のためのアルミニウム等の金属材料とを適宜組み合わせて構成することができる。
【００１６】
化粧板４は、壁面６１の他の部位を構成する壁材６と同じ材料または同様の質感を有する材料で構成されることが望ましい。
【００１７】
窓体５の材料としては例えばアクリル樹脂やポリカーボネート樹脂を用いることができる。図１の例では化粧板４と光源保持体３との間に介在する１個の窓体５によって全ての窓穴４０が閉塞されているが、例えば窓穴４０毎に１個ずつの窓体５を設けるといったように複数個の窓体５を設けてもよい。窓体５は有色且つ化粧板４と同系統の色とすれば、窓体５が無色透明とされる場合に比べて窓穴４０や窓体５を目立ちにくくして見栄えを改善することができる。
【００１８】
ここで、非常用照明器具１は、図２にハッチングで示すような壁面６１の下端（すなわち床面６２付近）に適宜の間隔で配置され、各光源２はそれぞれ床面６２に光を照射する。
【００１９】
上記構成によれば、非常用照明器具１が天井面６３や天井面６３付近の壁面６１に配置される場合に比べ、火災発生時の煙による視認性の低下が発生しにくく、また、床面６２の照度を高くしやすい。
【符号の説明】
【００２０】
１  非常用照明器具
２  光源
３  光源保持体
４  化粧板
５  窓体
４０  窓穴
６１  壁面
【図１】
0005988187.tif 000002
【図２】
0005988187.tif 000003